(57)【要約】【課題】メディアに記録された複数の写真から印刷対象の絞込みを行う際に、サムネイル一覧画面における写真選択を簡単な操作で正確に取捨選択が可能な写真印刷装置およびそのサムネイル表示制御方法を提供すること。【解決手段】写真印刷装置は、複数の画像に対応するサムネイルを所定の順序で一覧配列したサムネイル一覧画面２０を操作／表示部１に表示し、サムネイル一覧画面２０から所望のサムネイルを選択することによりサムネイルに対応する画像を印刷し、サムネイル一覧画面２０から選択したサムネイルを選択的に含み、かつサムネイル一覧画像のサムネイルの順序を保持した新たなサムネイル一覧画面２０を再表示し、再表示した新たなサムネイル一覧画像を記憶管理する写真一覧情報３０を記憶部１４に記憶して管理し、写真一覧情報３０に基づいて、写真４もしくはインデックス１６を印刷する。【選択図】  図１
2004282224.tif 000002
【特許請求の範囲】
【請求項１】
複数の画像に対応するサムネイルを所定の順序で一覧配列したサムネイル一覧画像を表示し、該サムネイル一覧画像から所望のサムネイルを選択することにより該選択したサムネイルに対応する画像を印刷する写真印刷装置において、
前記サムネイル一覧画像から選択したサムネイルを選択的に含み、かつ前記サムネイル一覧画像のサムネイルの順序を保持した新たなサムネイル一覧画像を生成するサムネイル一覧画像生成手段と、
前記サムネイル一覧画像生成手段で生成した新たなサムネイル一覧画像を記憶管理するサムネイル一覧画像記憶管理手段と、
前記サムネイル一覧画像記憶管理手段に記憶管理したサムネイル一覧画像を印刷出力する印刷出力手段と
を具備することを特徴とする写真印刷装置。
【請求項２】
前記サムネイル一覧画像生成手段は、
選択したサムネイルの前記サムネイル一覧画像における順序を保持し、かつ前記サムネイル一覧画像におけるサムネイルの表示位置を保持したサムネイル一覧画像を新たなサムネイル一覧画像として生成する
ことを特徴とする請求項１記載の写真印刷装置。
【請求項３】
前記サムネイル一覧画像生成手段は、
選択したサムネイルの前記サムネイル一覧画像における順序を保持し、かつ非選択のサムネイルの表示位置を詰めて再配列したサムネイル一覧画像を前記新たなサムネイル一覧画像として生成する
ことを特徴とする請求項１記載の写真印刷装置。
【請求項４】
前記サムネイル一覧画像記憶管理手段に記憶管理した新たなサムネイル一覧画像を表示し、該新たなサムネイル一覧画像から所望のサムネイルを選択することにより該選択したサムネイルに対応する画像を印刷する
ことを特徴とする請求項１記載の写真印刷装置。
【請求項５】
複数の画像に対応するサムネイルを所定の順序で一覧配列したサムネイル一覧画像を表示し、該サムネイル一覧画像から所望のサムネイルを選択することにより該選択したサムネイルに対応する画像を印刷する写真印刷装置の制御方法において、
前記サムネイル一覧画像から選択したサムネイルを選択的に含み、かつ前記サムネイル一覧画像のサムネイルの順序を保持した新たなサムネイル一覧画像を生成し、
該生成した新たなサムネイル一覧画像を記憶管理し、
該記憶管理したサムネイル一覧画像をユーザの要求に応じて印刷出力する
ことを特徴とする写真印刷装置の制御方法。
【請求項６】
前記新たなサムネイル一覧画像は、
選択したサムネイルの前記サムネイル一覧画像における順序を保持し、かつ前記サムネイル一覧画像におけるサムネイルの表示位置を保持して形成される
ことを特徴とする請求項５記載の写真印刷装置の制御方法。
【請求項７】
前記新たなサムネイル一覧画像は、
選択したサムネイルの前記サムネイル一覧画像における順序を保持し、かつ前記サムネイル一覧画像から非選択のサムネイルの表示位置を詰めて再配列して形成される
ことを特徴とする請求項５記載の写真印刷装置の制御方法。
【請求項８】
前記新たなサムネイル一覧画像を表示し、該新たなサムネイル一覧画像から所望のサムネイルを選択することにより該選択したサムネイルに対応する画像を印刷する
ことを特徴とする請求項５記載の写真印刷装置の制御方法。
【発明の詳細な説明】
【０００１】
【発明の属する技術分野】
この発明は、メディアに記録された写真および写真のインデックスを印刷する写真印刷装置に関し、特に、表示画面上に表示されるサムネイル一覧の表示制御に関する。
【０００２】
【従来の技術】
デジタルスチルカメラ等で撮影された写真を、記録媒体から読み取って、ユーザの操作により印刷する装置において、サムネイルを使用してインデックス画像に番号を付けてプリントする印刷装置が特許文献１および特許文献２にて開示されている。
【０００３】
また、所定のフォーマットに従って記録された出力指示情報とそれに対応した所望の画像に基づいて写真を印刷する装置が特許文献３にて開示されている。
【０００４】
【特許文献１】
特開平１１−３２１００９号公報。
【０００５】
【特許文献２】
特開平１１−３２１０１１１号公報。
【０００６】
【特許文献３】
特開２００１−２８３３２１号公報。
【０００７】
【発明が解決しようとする課題】
しかし、上記、特許文献１および２記載の印刷装置においては、不要なサムネイルまでがプリントの対象となってしまう。
【０００８】
また、特許文献３の印刷装置においては、印刷時の注文を、事前に作成しておく必要がある。
【０００９】
また、写真印刷装置がコンビニエンスストア等の店舗内に設置されて、不特定多数の利用者が課金印刷を行う場合、特に、過去に印刷したインデックスを参照しながら所望の写真に対して必要部数を指定して印刷する場合は、インデックスに印刷された識別番号などを確認しながら画面上に表示されたサムネイルを探して所定の操作を行うため印刷措置の稼動率を低下させる問題が生じる。
【００１０】
また、混雑時においては、次の利用者の待ち時間を気にしながらインデックス表示された多数の写真の中から目的のサムネイルを速やかにかつ正確に選択しなければならず、装置の操作に習熟していないユーザはストレスを感じてしまう。
【００１１】
この発明は、写真印刷装置において、ユーザがインデックスプリント実施後に行う個別の写真印刷や、メディアに記録された複数の写真から印刷対象の絞込みを行う際に、印刷する写真を簡単な操作で正確に選択する機能を提供することを目的とするものである。
【００１２】
【課題を解決するための手段】
上記目的を達成する為に、請求項１の発明は、複数の画像に対応するサムネイルを所定の順序で一覧配列したサムネイル一覧画像を表示し、サムネイル一覧画像から所望のサムネイルを選択することにより選択したサムネイルに対応する画像を印刷する写真印刷装置において、サムネイル一覧画像から選択したサムネイルを選択的に含み、かつサムネイル一覧画像のサムネイルの順序を保持した新たなサムネイル一覧画像を生成するサムネイル一覧画像生成手段と、サムネイル一覧画像生成手段で生成した新たなサムネイル一覧画像を記憶管理するサムネイル一覧画像記憶管理手段と、サムネイル一覧画像記憶管理手段に記憶管理したサムネイル一覧画像を印刷出力する印刷出力手段とを具備することを特徴とする。
【００１３】
また、請求項２の発明は、請求項１の発明において、サムネイル一覧画像生成手段は、選択したサムネイルのサムネイル一覧画像における順序を保持し、かつサムネイル一覧画像におけるサムネイルの表示位置を保持したサムネイル一覧画像を新たなサムネイル一覧画像として生成することを特徴とする。
【００１４】
また、請求項３の発明は、請求項１の発明において、サムネイル一覧画像生成手段は、選択したサムネイルのサムネイル一覧画像における順序を保持し、かつ非選択のサムネイルの表示位置を詰めて再配列したサムネイル一覧画像を新たなサムネイル一覧画像として生成することを特徴とする。
【００１５】
また、請求項４の発明は、請求項１の発明において、サムネイル一覧画像記憶管理手段に記憶管理した新たなサムネイル一覧画像を表示し、新たなサムネイル一覧画像から所望のサムネイルを選択することにより選択したサムネイルに対応する画像を印刷することを特徴とする。
【００１６】
また、請求項５の発明は、複数の画像に対応するサムネイルを所定の順序で一覧配列したサムネイル一覧画像を表示し、サムネイル一覧画像から所望のサムネイルを選択することにより選択したサムネイルに対応する画像を印刷する写真印刷装置の制御方法において、サムネイル一覧画像から選択したサムネイルを選択的に含み、かつサムネイル一覧画像のサムネイルの順序を保持した新たなサムネイル一覧画像を生成し、生成した新たなサムネイル一覧画像を記憶管理し、記憶管理したサムネイル一覧画像をユーザの要求に応じて印刷出力することを特徴とする。
【００１７】
また、請求項６の発明は、請求項５の発明において、新たなサムネイル一覧画像は、選択したサムネイルのサムネイル一覧画像における順序を保持し、かつサムネイル一覧画像におけるサムネイルの表示位置を保持して形成されることを特徴とする。
【００１８】
また、請求項７の発明は、請求項５の発明において、新たなサムネイル一覧画像は、選択したサムネイルのサムネイル一覧画像における順序を保持し、かつサムネイル一覧画像から非選択のサムネイルの表示位置を詰めて再配列して形成されることを特徴とする。
【００１９】
また、請求項８の発明は、請求項５の発明において、新たなサムネイル一覧画像を表示し、新たなサムネイル一覧画像から所望のサムネイルを選択することにより選択したサムネイルに対応する画像を印刷することを特徴とする。
【００２０】
【発明の実施の形態】
以下、この発明の実施の形態について添付図面を参照して詳細に説明する。
【００２１】
図１は、この発明の写真印刷装置の構成例とその制御構成を示すブロック図である。
【００２２】
図１に示した写真印刷装置は、ユーザ１３が操作する操作／表示部１と、ＰＣ６、メディアリーダ２と、ＰＣ６によって構成されている。
【００２３】
以後、本実施例において写真印刷装置は、操作／表示部１と、ＰＣ６、メディアリーダ２と、ＰＣ６を含んだ全体の構成を指示するものとする。
【００２４】
メディア３は、ユーザ１３がデジタルカメラ等で撮影した写真の画像データ、サムネイル画像を含む付加情報が、ＤＣＦ（Ｄｅｓｉｇｎ  ｒｕｌｅ  ｆｏｒ  Ｃａｍｅｒａ  Ｆｉｌｅ  Ｓｙｓｔｅｍ）、Ｅｘｉｆ（Ｅｘｃｈａｎｇｅａｂｌｅ  Ｉｍａｇｅ  Ｆｉｌｅ  Ｆｏｒｍａｔ）等のデジタルカメラ用の画像ファイルフォーマットに従って記録される記憶媒体である。
【００２５】
メディアリーダ２は、ユーザ１３によって装着されたメディア３内の写真画像を含むデータを読み取り、ＰＣ６に読み取りデータを出力する装置である。
【００２６】
操作／表示部１は、メディア３から読み取った写真をサムネイルとして表示し、ユーザ１３が印刷する写真を選択して印刷部数を入力して確認するためのユーザインタフェースである。
【００２７】
操作／表示部１には、メディアから読み取った写真のサムネイルを所定の配列で表示した画面（以降「サムネイル一覧画面」と称して説明する。）が表示され、ユーザ１３はこのサムネイルを参照しながら印刷写真を選択するとともにその印刷部数を指定して写真４やサムネイル一覧とその識別情報がプリントされるインデックス１６の印刷を行う。
【００２８】
プリンタ５は、ＰＣ６によって処理された写真印刷データをもとに、写真印刷に必要な画像処理を行ってユーザ１３が所望するサイズの写真４、サムネイル画像の一覧のその識別情報が印刷されたインデックス１６を印刷する装置である。
【００２９】
ＰＣ６は、操作／表示部１、メディアリーダ２、プリンタ５に接続して、各装置間のデータ入出力を制御するとともに、メディア内データ解析部７、表示用データ作成部８、操作情報解析部９、画像処理部１０、制御部１１、印刷データ作成部１２、記憶部１４、プリンタ監視部１５を有し、写真印刷に必要な各種制御を行う。
【００３０】
制御部１１は、ＰＣ６内の各制御ブロックおよび操作／表示部１、メディアリーダ２、プリンタ５等の周辺接続装置を統括して制御を行う。
【００３１】
記憶部１４は、メディア３から読み取った写真画像データ、サムネイル画像データと、各写真において、画面表示関する情報、ユーザ１３が指定した印刷情報を記録して管理する写真一覧情報３０を記憶する。
【００３２】
メディア内データ解析部７は、メディアリーダ２にて読み取ったメディア３内のデータを受信し、写真画像を記録するフォーマット形式に基づいて、写真画像データおよび写真のサムネイル画像データと付加情報の抽出を行う。
【００３３】
表示用データ作成部８は、操作／表示部１に表示する画面レイアウトに関する情報と、メディア３から読み取った写真のサムネイル画像を基に、画面表示用データを作成して操作／表示部１に出力する。
【００３４】
操作情報解析部９は、ユーザ１３が操作／表示部１での各種操作を検出して制御部１１に出力する。
【００３５】
画像処理部１０は、写真画像データ、サムネイル画像データを所望のファイル形式に合わせて画像データの変換、圧縮、伸張を行う。
【００３６】
印刷データ作成部１２は、記憶部１４に記憶されたから印刷する写真の写真画像データと印刷部数を取得し、プリンタ５にて写真印刷が可能なデータに変換してプリンタ５に出力する。
【００３７】
プリンタ監視部１５は、プリンタ５にて処理される写真印刷の状況を監視し、監視結果を制御部１１に対して通知を行う。
【００３８】
なお、操作／表示部１、メディアリーダ２、ＰＣ６、プリンタ５が、一台の写真印刷装置として筐体にセットされる構成も可能であり、この発明の画像印刷装置は、図１に示す構成に限定されるものではない。
【００３９】
また、操作／表示部１は、表示部と操作部がそれぞれ別の装置となる機器構成にすることも可能である。
【００４０】
また、写真画像データ、サムネイル画像データを記憶するメディア３以外の外部装置（デジタルカメラ等）に接続するインタフェースを追加し、外部装置に記憶されたデジタル写真画像をデータ通信によって受信して写真を印刷する構成にすることも可能である。
【００４１】
次に、操作／表示部１に表示されるサムネイル一覧画面について説明する。
【００４２】
図２は、写真印刷措置の操作／表示部１に表示されるサムネイル一覧画面の例を示すレイアウト図  である。
【００４３】
さらに、サムネイル一覧画面２０は、サムネイル画像の選択／非選択を主に示す強調枠表示領域２１と、メディア３から読み取ったサムネイル画像を表示するサムネイル表示領域２２と、ユーザ１３にて指定された印刷部数と、印刷中においては印刷完了部数または印刷残り部数をリアルタイムで表示する印刷部数表示領域２３とがセットとなり、予め定義された配列のサイズに基づいて写真毎に表示される画面である。
【００４４】
次に、記憶部１４に記憶される写真一覧情報３０の内容について説明する。
【００４５】
図３は、写真印刷装置の記憶部１４に記憶される写真一覧情報３０にて管理する項目名称およびその内容の例を示すフォーマット図である。
【００４６】
写真一覧情報３０は、ヘッダー部３１と、写真情報部３２の２つの領域に大別される。
【００４７】
ヘッダー部３１には、写真一覧情報３０を作成したタイムスタンプが記憶される作成日付と、サムネイル一覧情報を画面表示するときの配列の定義を記憶する配列情報と、写真画像、サムネイル画像を読み取ったメディアを一意に特定するためのメディア情報と、写真一覧情報３０に管理されている写真の数を示す写真総数で構成される。
【００４８】
一方、写真情報部３２は、ヘッダー部３１の写真総数分の情報を管理する項目が記憶される領域である。
【００４９】
写真ＩＤは、写真画像データのファイル名を記憶し、サムネイルＩＤは、サムネイル画像のファイル名を記憶する。
【００５０】
表示情報は、サムネイル一覧画面２０にサムネイルが表示されている場合のみ設定される項目であり、配列の位置を特定するためにあらかじめ定義された番号に従って、サムネイルが表示される位置情報を記憶する。
【００５１】
印刷指定部数は、ユーザ１３が指定した写真毎の印刷枚数を記憶する。
【００５２】
印刷完了部数は、プリンタ５にて一枚の写真印刷が完了する度に、カウントアップした値を記憶する。
【００５３】
選択フラグは、サムネイルの選択／非選択の状態、印刷確定の状態を記憶する。
【００５４】
以上の項目のセットが写真の総数に対応して設けられ、各写真の情報が印刷処理の終了まで随時記憶して管理される。
【００５５】
次に、写真印刷装置において、写真・インデックス印刷を行う時の操作および処理手順について説明する。
【００５６】
図４は、写真印刷装置の写真・インデックス印刷の操作および処理手順を示すフローチャートである。
【００５７】
ユーザ１３は、デジタル写真およびそのサムネイル画像が記録されたメディア３をメディアリーダ２にセットする（ステップＳ１０１）。
【００５８】
ＰＣ６の制御部１１は、メディア３がメディアリーダ２へセットされたことを検出し、メディアリーダ２に対してメディア３の読み取りを指示する。
【００５９】
メディアリーダ２は、読み取ったメディア３のデータをメディア内データ解析部７に出力し、メディア内データ解析部７は、読み取ったデータを、画像処理部１０と連携して画像フォーマットの変換を適宜実施してファイル化した写真画像、サムネイル画像を記憶部１４に記憶し、メディア３が固有に保持する識別情報（以後、メディアＩＤと称す）を抽出する（ステップＳ１０２）。
【００６０】
メディア内データ解析部７は、抽出したメディアＩＤをキーにして、記憶部１４若しくは、メディア３内のデータを検索する（ステップＳ１０３）。
【００６１】
検索した結果、写真一覧情報３０が見つかった場合（ステップＳ１０４でＹＥＳ）、表示用データ作成部８は、検索した写真一覧情報３０をもとにサムネイル一覧画面２０の表示データを作成して操作／表示部１に出力する（ステップＳ１０６）。
【００６２】
この時、サムネイル一覧画面２０の表示イメージは、写真一覧情報３０に登録されているサムネイルのうち、すでに、ユーザ１３にて選択されたサムネイルのみが表示対象となるため、例えば、図５の画面イメージ５２に示すレイアウトとなる。
【００６３】
図４に戻り、一方、検索した結果、写真一覧情報３０が見つからない場合（ステップＳ１０４でＮＯ）、表示用データ作成部８は、メディアから読み取ったサムネイル画像すべてをサムネイル一覧画面２０に表示する表示データを作成して操作／表示部１に出力する（ステップＳ１０５）。
【００６４】
この時、サムネイル一覧画面２０の表示イメージは、読み取ったサムネイル全てが、表示対象となるため、例えば、図５の画面イメージ５１に示すレイアウトとなる。
【００６５】
ユーザ１３は、操作／表示部１に表示された２０を参照し、写真印刷、または、インデックス印刷に必要なサムネイルをボタン操作等により順次選択して選択操作を行う（ステップＳ１０７）。
【００６６】
ここで、操作情報解析部９は、ユーザ１３がサムネイル一覧画面２０で入力した印刷対象となるサムネイルの識別情報、印刷部数を検出し、記憶部１４の写真一覧情報３０の該当項目を更新する。
【００６７】
ユーザ１３は、必要なサムネイルの選択操作が完了すると（ステップＳ１０８でＹＥＳ）、操作／表示部１の確認ボタン等により選択完了操作を行う（ステップＳ１０９）。
【００６８】
操作情報解析部９は、操作／表示部１における選択完了操作を検出し、表示用データ作成部８に対してサムネイル一覧画面２０の絞り込み表示の要求を出力する。
【００６９】
表示用データ作成部８は、写真一覧情報３０に記憶された各写真の選択フラグを参照し、ユーザ１３が選択したサムネイルを特定する。
【００７０】
そして、写真一覧情報３０の表示情報に記憶したインデックスの振りなおしを行い、絞込み表示用の表示データを作成して操作／表示部１に出力する（ステップＳ１１０）。
【００７１】
ここで、例えば、ユーザ１３が所望の写真のサムネイルを選択すると、サムネイル一覧画面２０は図５に示す画面イメージのように表示形態が変更される。
【００７２】
画面イメージ５１は、サムネイル一覧画面２０において、ユーザ１３が選択したサムネイルの強調枠表示領域２１が、強調色で表示された（図５、５１のハッチ部分）ことを示している。
【００７３】
そして、画面イメージ５２は、サムネイル一覧画面２０において、ユーザ１３が選択完了の操作を行うと、選択が確定したサムネイルＮｏ３、７、９、１０、１５、１６のサムネイルのみで、再配置して表示した時の表示を示している。
【００７４】
再び、図４の処理フローに戻り印刷処理の説明を行う。
【００７５】
ユーザ１３は、操作／表示部１に表示された絞り込みが行われたサムネイル一覧画面２０を参照して最終確認を行い、確認ＯＫの場合（ステップＳ１１１）は、印刷種別（写真印刷、インデックス印刷）の指定と、印刷開始要求の操作を行う（ステップＳ１１２）。
【００７６】
操作情報解析部９は、写真一覧情報３０において、印刷が確定した対象サムネイルの選択中フラグを印刷対象に更新する。
【００７７】
また、操作情報解析部９は、操作／表示部１で入力された印刷種別（写真印刷、インデックス印刷）と印刷要求を検出し、印刷データ作成部１２に対して印刷種別を通知して印刷要求を出力する。
【００７８】
ユーザ１３にて指定された印刷種別が写真印刷の場合（ステップＳ１１４で写真）、印刷データ作成部１２は、写真一覧情報３０内の選択フラグと印刷指定部数、写真ＩＤを参照しながら写真印刷用のデータを作成しプリンタ５に出力する（ステップＳ１１５）。
【００７９】
一方、ユーザ１３にて指定された印刷種別がインデックス印刷の場合（ステップＳ１１４でインデックス）、印刷データ作成部１２は、写真一覧情報３０内の選択フラグとサムネイルＩＤを参照しながらインデックス印刷用の印刷データを作成しプリンタ５に出力する（ステップＳ１１６）。
【００８０】
なお、ステップＳ１１０における選択確定後のサムネイル一覧画面２０の再表示は、図６の画面イメージ６２に示すように、非選択のサムネイルを非表示にすることで、選択したサムネイルを強調して表示する構成にしてもよい。
【００８１】
また、ステップＳ１１０において、選択が確定したサムネイルの表示パターンを図７の表示タイプ選択メニュー７０を操作／表示部１に出力し、ユーザ１３は、選択ボタン７１、７２、７３を選択して、すべてのサムネイルを表示するパターン（図７の画面イメージ７４）、選択したサムネイル以外を非表示にするパターン（図７の画面イメージ７５）、選択したサムネイルのみで絞り込み表示したパターン（図７の画面イメージ７６）を指定できる構成にしてもよい。
【００８２】
同様に、ステップＳ１１６のインデックス印刷を行う場合においても、ステップＳ１１０で指定した表示パターンをそのまま印刷パターンに適用したり、インデックス印刷の印刷パターンを選択メニューから指定できる構成にすることも可能である。
【００８３】
また、ステップＳ１０３にて実施する写真一覧情報３０の検索処理において、検索策した結果複数の写真一覧情報３０が見つかるケースも想定される。
【００８４】
本ケースにおいては、例えば、検索した写真一覧情報３０毎の作成日付をユーザ１３が選択するユーザインタフェースを出力し、ユーザ１３が選択した写真一覧情報３０、あるいは、あえて選択せずに、メディアに記憶された全写真のサムネイルを表示する処理にすることも可能である。
【００８５】
また、写真一覧情報３０の記憶場所は、写真印刷装置の記憶手段に限定されることなく、メディア３やネットワークを介して接続される他装置の記憶手段に記憶して管理する構成にすることも可能である。
【００８６】
この時、写真一覧情報３０の項目には、さらに写真印刷装置を特定するための端末識別情報等の検索キーを追加して管理することが必要となる。
【００８７】
【発明の効果】
この発明における写真印刷装置のサムネイル一覧画面２０の表示制御方法を適用することにより、メディアに記憶された写真またはインデックスの印刷、印刷したインデックスを参照しながら所望の写真を個別に印刷する際、印刷対象となる写真の取捨選択操作をすることが可能となる。
【００８８】
また、ユーザ１３がカスタマイズしたサムネイル一覧表示に関する情報を、記憶装置（メディア、ハードディスク等）にメディアＩＤ、作成日時と組み合わせて記憶し、メディアＩＤをもとに検索する構成とすることで、過去の写真選択操作を踏襲した写真印刷処理を簡単に再現することが可能となる。
【図面の簡単な説明】
【図１】この発明の写真印刷装置の構成例とその制御構成を示すブロック図である。
【図２】写真印刷措置の操作／表示部に表示されるサムネイル一覧画面の例を示すレイアウト図  である。
【図３】写真印刷装置の記憶部に記憶される写真一覧情報にて管理する項目名称およびその内容の例を示すフォーマット図である。
【図４】写真印刷装置の写真・インデックス印刷の操作および処理手順を示すフローチャートである。
【図５】サムネイル一覧画面において、ユーザが任意のサムネイルを選択した際にユーザが選択したサムネイルのみで絞込み表示を行う際の画面の遷移を示す画面イメージ図である。
【図６】サムネイル一覧画面において、ユーザが任意のサムネイルを選択した際、ユーザが選択したサムネイル以外を非表示にした時の画面の遷移を示す画面イメージ図である。
【図７】サムネイル一覧画面において、ユーザがサムネイルの一覧表示のタイプを指定するユーザインタフェースである。
【符号の説明】
１    操作／表示部
２    メディアリーダ
３    メディア
４    写真
５    プリンタ
６    ＰＣ
７    メディア内データ解析部
８    表示用データ作成部
９    操作情報解析部
１０  画像処理部
１１  制御部
１２  印刷データ作成部
１３  ユーザ
１４  記憶部
１５  プリンタ監視部
１６  インデックス
２０  サムネイル一覧画面
２１  強調枠表示領域
２２  サムネイル表示領域
２３  印刷部数表示領域
３０  写真一覧情報
３１  ヘッダー部
３２  写真情報部（１）
５１  画面イメージ（サムネイル選択中）
５２  画面イメージ（サムネイル絞り込み表示）
６１  画面イメージ（サムネイル選択中）
６２  画面イメージ（選択対象外のサムネイル非表示）
７０  表示タイプ選択メニュー
７１、７２、７３  選択ボタン
【図１】
2004282224.tif 000003
【図２】
2004282224.tif 000004
【図３】
2004282224.tif 000005
【図４】
2004282224.tif 000006
【図５】
2004282224.tif 000007
【図６】
2004282224.tif 000008
【図７】
2004282224.tif 000009